(57)【特許請求の範囲】
【請求項１】
凸状に湾曲した湾曲面を有し、ドライバユニットを内蔵するハウジングと、
前記湾曲面の表面積より小さい面積で前記湾曲面に当接する支持部材と、
前記支持部材と前記湾曲面に当接し、前記支持部材と前記湾曲面の摩擦係数より前記湾曲面との摩擦係数が大きい摩擦体と、
を備え、
前記ハウジングは、前記支持部材に対して揺動可能に連結されていることを特徴とするヘッドホン。
【請求項２】
前記湾曲面の前記支持部材とは反対側の面に当接する固定部材をさらに有し、前記ハウジングは前記湾曲面を貫いて形成された孔を有し、前記支持部材が有する突起が前記ハウジングの前記孔を貫通していて、前記支持部材は前記突起で前記固定部材に当接している、請求項１記載のヘッドホン。
【請求項３】
前記孔の内周面と前記突起との間には隙間がある、請求項２記載のヘッドホン。
【請求項４】
前記ハウジングと前記支持部材の互いに対向する面のなす角は、可変である、請求項１乃至３のいずれかに記載のヘッドホン。
【請求項５】
前記ハウジングが前記支持部材に対して揺動するとき、前記摩擦体と前記ハウジングの間には動摩擦力が生じる、請求項１乃至４のいずれかに記載のヘッドホン。
【請求項６】
前記摩擦体は前記ハウジングと前記支持部材との当接部分を囲むリング状の弾性体である、請求項１乃至５のいずれかに記載のヘッドホン。
【請求項７】
前記支持部材は前記ハウジングと対向する面に突出する凸部を有し、前記ハウジングは前記凸部の外周よりも大きく、上記凸部を受け入れる受け孔を有する、請求項１乃至６のいずれかに記載のヘッドホン。
【請求項８】
凸状に湾曲した湾曲面を有するハウジングと、
前記湾曲面の表面積より小さい面積で前記湾曲面に当接する支持部材と、
前記支持部材と前記湾曲面に当接し、前記支持部材と前記湾曲面の摩擦係数より前記湾曲面との摩擦係数が大きい摩擦体と、
を備え、
前記ハウジングは、前記支持部材に対して揺動可能に連結されていることを特徴とするイヤーマフ。
【発明の詳細な説明】
【技術分野】
【０００１】
本発明は、ヘッドホンおよびイヤーマフに関する。
【背景技術】
【０００２】
ヘッドホンは、一般的に、ドライバユニットを内蔵した左右一対のハウジングを有する。一対のハウジングは、ヘッドバンドで連結され、各ハウジングにはイヤパッドが取り付けられている。各ハウジングは支持部材を介してヘッドバンドの両端に連結されている。
【０００３】
ヘッドバンドに対するハウジングの位置あるいは一対のハウジング相互の姿勢は、使用者の身体寸法や好みに応じて調整できる必要がある。そこで、ヘッドバンドに支持部材を備え、ハウジングと支持部材とをネジで固定する構造が考えられる。しかしながら、ネジの締め付けトルクやハウジングおよび支持部材の部品寸法などにより、可動の具合が変わってくる。ネジの締め付けトルクや部品寸法は、大量生産時の工程管理が困難である。また、ハウジングおよび支持部材はプラスチックなどの硬い部材であるため、滑らかに可動しづらい。
【０００４】
そこで、イヤパッドを保持するハウジングと支持部材とが滑らかに可動するヘッドホンが必要とされている。
【０００５】
これまでにも、例えば、マイクロホンホルダとヘッドホンのハンガのそれぞれの取り付け面の間に環状波形ばねとこれを挟持する２枚の樹脂製環状板とを介装したマイク付ヘッドホンが開示されている（例えば、特許文献１参照）。
【０００６】
また、ヘッドホン本体に挿入されるホルダに軸方向溝を設け、この溝にマイクブームを挿通した後、ヘッドホン本体にホルダを挿入することにより、ホルダのバネ性を利用してマイクブームを保持するマイクロホン付ヘッドホンが開示されている（例えば、特許文献２参照）。
【０００７】
キャビネットに一体で成形された略球形状の回転軸を左右一対のホルダの内面に設けた回転軸受部により挟み込み、キャビネットにホルダを回転自在に取り付けるドライバーユニットの取付装置が開示されている（例えば、特許文献３参照）。
【先行技術文献】
【特許文献】
【０００８】
【特許文献１】実公平６−４４２３２号公報
【特許文献２】実公平７−１８２２８号公報
【特許文献３】特公平８−３２０９９号公報
【発明の概要】
【発明が解決しようとする課題】
【０００９】
本発明は、ハウジングと支持部材が滑らかに可動するヘッドホンおよびイヤーマフを提供することを目的とする。
【課題を解決するための手段】
【００１０】
本発明にかかるヘッドホンは、凸状に湾曲した湾曲面を有し、ドライバユニットを内蔵しているハウジングと、湾曲面の表面積より小さい面積で湾曲面に当接する支持部材と、支持部材と湾曲面に当接し、支持部材と湾曲面の摩擦係数より湾曲面との摩擦係数が大きい摩擦体と、を備え、ハウジングは、支持部材に対して揺動可能に連結されていることを特徴とする。
【００１１】
また、本発明にかかるイヤーマフは、凸状に湾曲した湾曲面を有するハウジングと、湾曲面の表面積より小さい面積で湾曲面に当接する支持部材と、支持部材と湾曲面に当接し、支持部材と湾曲面の摩擦係数より湾曲面との摩擦係数が大きい摩擦体と、を備え、ハウジングは、支持部材に対して揺動可能に連結されていることを特徴とする。
【発明の効果】
【００１２】
本発明によれば、ハウジングと支持部材が滑らかに可動する。
【図面の簡単な説明】
【００１３】
【図１】本発明にかかるヘッドホンの実施の形態を示す斜視図である。
【図２】上記ヘッドホンが備える右側筐体の分解斜視図である。
【図３】上記右側筐体の縦断面図である。
【図４】上記右側筐体の側面図である。
【発明を実施するための形態】
【００１４】
以下、本発明にかかるヘッドホンの実施の形態について、図面を参照しながら説明する。
【００１５】
●本ヘッドホン（１）●
図１および図２に示すように、本発明の実施の形態にかかるヘッドホン１は、ハウジング２、支持部材３、Ｏリング４、固定部材５、ネジ６、イヤパッド１０およびヘッドバンド１１を備える。図２は、イヤパッド１０の記載を省略した右側筐体１２の分解斜視図である。
【００１６】
ハウジング２は、略楕円筒形状のイヤパッド１０を支持する偏平な略楕円柱形の部材で、ドライバユニット(図示省略)を内蔵している。ハウジング２の一方の面にイヤパッド１０が固定されている。ドライバユニットは、イヤパッド１０が配置されている方に音波を放音する。ハウジング２の他方の面は底面になっていて、この底面には、支持部材３が連結されている。
【００１７】
支持部材３は、ハウジング２とヘッドホン１のヘッドバンド１１を連結する部材である。支持部材３は、本実施の形態においては略直方体形状である。支持部材３は、ハウジング２の外側においてハウジング２を直径方向にまたいで配置されている。ハウジング２および支持部材３は、それぞれの略中央でネジ６により連結されている。ハウジング２および支持部材３は、例えばプラスチック製である。
【００１８】
ヘッドバンド１１の両端部は、左右それぞれの支持部材３の端部と連結されている。ヘッドバンド１１は、使用状態において使用者の頭部の上方を左右にまたいで配置される。ヘッドバンド１１は、左右のハウジング２の相互の間隔を調整できるように、長さ調整機構が組み込まれている。左右の支持部材３はまた、ハウジング２を使用者の側頭部に押し当てるための圧力を加える２本の弾性体１６で連結されている。
【００１９】
ハウジング２と支持部材３の互いに対向する面のなす角は、可変である。言い換えれば、ハウジング２の支持部材３に対する角度は、ネジ６の長さ方向に垂直な軸を回転軸として、ネジ６の中央を中心に変化する。図１および図４に記載の矢印は、ハウジング２の回転の方向の一例を示している。
【００２０】
●ハウジング２および支持部材３の連結部分の構成
図３に示すように、ハウジング２は、逃げ孔２１および椀状部２２を備える。支持部材３は、支持部材孔３１、受け部３２、溝３３、固定部材受け部３４および円筒状のリブ３５を備える。
【００２１】
逃げ孔２１は、ハウジング２の底面の略中央にある孔である。椀状部２２は、支持部材３側にある凸状の湾曲面である。椀状部２２は、支持部材３と反対側の面においては凹面である。椀状部２２は、凸状の面で支持部材３の受け部３２と当接し、受け部３２と反対側の面、すなわち凹面で後述する固定部材５と当接している。椀状部２２は、半球面であり、椀状部２２の凸状の湾曲面と上記凹面、この凹面に当接する固定部材５の当接面、椀状部２２の上記湾曲面と当接する受け部３２は、共通の１点を中心とする球面になっている。支持部材３は椀状部２２の表面積より小さい面積で椀状部２２に当接している。
【００２２】
支持部材孔３１は、支持部材３のハウジング２との対向面の略中央にある孔である。受け部３２は、支持部材孔３１の外周側において、椀状部２２の凸面に沿う浅い凹型の部分である。言い換えれば、受け部３２は、支持部材３のハウジング２に対向する面から突出し、椀状部２２の凸面と同じ径の球面からなる凹面である。
【００２３】
Ｏリング４は、断面形状が略円形でリング状の弾性体である。Ｏリング４は、受け部３２の外周とリブ３５の内周との間にあるリング状の溝３３に把持されている。Ｏリング４は、椀状部２２に接触していて、ハウジング２と支持部材３との間に適宜の摩擦力を与えている。Ｏリング４は、椀状部２２および受け部３２との接触面において、椀状部２２と受け部３２の摩擦係数よりも摩擦係数の大きい摩擦体であれば、弾性体に限られない。Ｏリング４が受け部３２の外周を全周にわたって、換言すれば、ハウジング２と支持部材３との当接部分を全周にわたって囲んでいる。これにより、ハウジング２が支持部材３に対してどの方向に傾いても、ハウジング２はＯリング４に当接する。
【００２４】
ヘッドホン１は、Ｏリング４に代えてシート状又はリング状の摩擦体を有していてもよい。シート状の摩擦体の場合には、支持部材３は、溝３３に代わる摩擦体の固定手段を適宜有する。また、摩擦体は、椀状部２２の凸面に沿った筒型の略円錐台形状でもよい。
【００２５】
固定部材５は、支持部材３との間で椀状部２２を挟持している略半球体の部材である。固定部材５は、略中央にネジ６が貫通する固定孔５１を有する。固定部材５は、半球体の凸面で椀状部２２の凹面に当接する。また、固定部材５の凸面の先端部分（図３にいて下端部分）は、固定部材受け部３４に当接している。固定部材受け部３４は、支持部材孔３１と受け部３２の間にある円筒状の突起である。固定部材受け部３４は、ハウジング２の逃げ孔２１を貫通している。
【００２６】
ネジ６は、固定孔５１を貫通し、支持部材孔３１に形成されている雌ネジにねじ込まれ、ハウジング２と支持部材３が連結されている。ネジ６の頭と固定部材５との間にワッシャが配置されていてもよい。
【００２７】
固定部材５と固定部材受け部３４は、ネジ６により押圧され、互いに固定されている。固定部材５と固定部材受け部３４が当接することにより、ネジ６の締め付け力が椀状部２２に伝達されないように、各部材の寸法が設計されている。これにより、椀状部２２は受け部３２と固定部材５の間で揺動することができる。受け部３２は、椀状部２２の揺動をガイドする。椀状部２２と、この椀状部２２をガイドする受け部３２のガイド面は、共通の１点を中心とする球面である。よって、ハウジング２は支持部材３に対し球面の軌跡を描きながら揺動する。
【００２８】
本実施の形態においては、固定部材５と固定部材受け部３４はネジ６により固定されているが、固定方法はネジに限られない。例えば、固定部材５と固定部材受け部３４を接着剤により固定してもよい。固定部材５と固定部材受け部３４を一体に形成してもよい。
【００２９】
図３に示すように、逃げ孔２１の内周面と固定部材受け部３４の間には円錐台状の隙間２１ａが固定部材受け部３４の全周に設けられている。隙間２１ａがあることにより、椀状部２２は受け部３２と固定部材受け部３４の間で揺動し、ハウジング２の支持部材３に対する角度が変化する。
【００３０】
本実施の形態においては、固定部材受け部３４が支持部材３の内面から突出して固定部材５に当接している。すなわち、隙間２１ａは、逃げ孔２１および固定部材受け部３４の間に設けられているが、支持部材３の内面に向かって突出する円筒状の突起が固定部材５に設けられていてもよい。この構成の場合は、隙間２１ａは、逃げ孔２１と固定部材５の間に設けられる。
【００３１】
溝３３は、受け部３２およびリブ３５の間にあるリング状の溝である。溝３３は、Ｏリング４を把持する。溝３３の内周の深さは、Ｏリング４の厚さよりも浅い。そのため、Ｏリング４の内周部分は溝３３から突出している。Ｏリング４は、その内周部分において椀状部２２の凸面と当接している。
【００３２】
椀状部２２と受け部３２の相対位置は、Ｏリング４と椀状部２２の静摩擦力により維持される。また、椀状部２２は、受け部３２に対して傾くときにＯリング４に擦れる。このため、椀状部２２と受け部３２は、Ｏリング４の動摩擦力により滑らかに摺動することができる。また、椀状部２２が受け部３２に対して傾いた状態においてもＯリング４と椀状部２２が当接するため、Ｏリング４と椀状部２２の静摩擦力による抵抗により椀状部２２の受け部３２に対する角度が保持される。
【００３３】
弾性体のＯリング４が椀状部２２に当接していることにより、ネジ６のトルクのばらつきはＯリング４に吸収されるので、ネジ６のトルク管理が不要になる。すなわち、ヘッドホン１の製造時における組立工程の管理が簡便になる。
【００３４】
図４に示すように、リブ３５は、Ｏリング４の外周を囲っている円筒形に設けられた壁である。リブ３５により、Ｏリング４がヘッドホン１の外側に露出しない。ハウジング２は、椀状部２２の外縁部分がリブ３５の先端に当接する角度まで傾くことができる。
【００３５】
●受け孔２６および凸部３６の構成
図２に示すように、ハウジング２は、受け孔２６をさらに有する。支持部材３は、凸部３６をさらに有する。受け孔２６は、支持部材３との対向面であって、ハウジング２の外縁近傍に設けられている略四角形の孔である。凸部３６は、ハウジング２との対向面に設けられていて、ハウジング２と支持部材３が連結されたときに受け孔２６と対応する位置に設けられている突起である。受け孔２６は、凸部３６の外周よりも大きく、凸部３６を受け入れる。受け孔２６の形状は、略四角形に限られず、略円形でもよい。凸部３６は、中空であっても中実であってもよい。
【００３６】
受け孔２６および凸部３６の間には隙間２６ａが設けられている。隙間２６ａがあることにより、ハウジング２が支持部材３に対して傾いた場合に、ハウジング２の動きを規制しない。一方、受け孔２６と凸部３６に構成により、ハウジング２のネジ６の長さ方向を回転軸とする回転を抑制することができる。
【００３７】
凸部３６は、ハウジング２が支持部材３に対して最も傾いたときにも受け孔２６から抜けない長さを有する。この構成により、ハウジング２が傾いたときにも、ハウジング２のネジ６の長さ方向を回転軸とする回転を抑制することができる。
【００３８】
支持部材３が受け孔２６を有し、ハウジング２が凸部３６を有していてもよい。
【００３９】
以上説明した実施の形態によれば、受け部３２の外周に配置されていて椀状部２２と当接するＯリング４を有することにより、ハウジング２と支持部材３が滑らかに可動することができる。すなわち、Ｏリング４と椀状部２２の間の適度な摩擦力により、使用者の身体寸法や好みに応じてヘッドバンドに対するイヤパッドの位置を調整できる。
【符号の説明】
【００４０】
１        ヘッドホン
２        ハウジング
３        支持部材
４        Ｏリング
５        固定部材
【図１】
0006375533.tif 000002
【図２】
0006375533.tif 000003
【図３】
0006375533.tif 000004
【図４】
0006375533.tif 000005